(57)【特許請求の範囲】
【請求項１】
音声データを保持する携帯型オーディオ装置から前記音声データを含むデータ信号を無線受信する受信手段と、
前記携帯型オーディオ装置に対応する識別データを予め記憶するデータ記憶手段と、
前記受信手段にて無線受信したデータ信号に含まれる識別データを抽出するデータ抽出手段と、
前記データ抽出手段にて抽出された識別データが前記データ記憶手段に記憶中の識別データに対応するか否かを判定するデータ判定手段と、
前記データ判定手段にて、前記抽出された識別データが前記記憶中の識別データに対応すると判定されると、前記受信手段にて無線受信したデータ信号から前記音声データを抽出し、前記音声データを再生する再生手段と、
前記再生手段により再生される音声を消音するミュート部と、
前記再生手段が前記音声データを再生中に、前記携帯型オーディオ装置からの前記データ信号にエラーが発生した場合に、前記ミュート部を作動させて、前記再生手段により再生される音声を消音させる消音制御手段と、
を有することを特徴とするデータ再生装置。
【請求項２】
前記再生手段により前記音声データが再生されたことに対応して、前記音声データが再生中か否かを示す再生履歴フラグを再生中であることを示すように設定し、かつ前記携帯型オーディオ装置からの前記データ信号に継続して予め定められた期間エラーが発生したことに対応して、前記再生履歴フラグを再生中でないことを示すように設定するフラグ設定手段を有し、
前記消音制御手段は、前記携帯型オーディオ装置からの前記データ信号にエラーが発生した場合に、前記再生履歴フラグを参照し、前記再生履歴フラグが再生中であることを示す場合に、前記ミュート部を作動させて、前記再生手段により再生される音声を消音させることを特徴とする請求項１に記載のデータ再生装置。
【請求項３】
前記携帯型オーディオ装置が予め定められた位置に配置されたことでスイッチング動作をするスイッチ手段を有し、
前記受信手段は、前記スイッチ手段のスイッチング動作に応じて受信動作を開始することを特徴とする請求項１または請求項２に記載のデータ再生装置。
【請求項４】
音声データを含むデータ信号を無線送信する携帯型オーディオ装置と、
前記携帯型オーディオ装置からデータ信号を無線受信するデータ再生装置と、を有し、
前記データ再生装置は、前記携帯型オーディオ装置からのデータ信号を無線受信する受信手段と、
前記携帯型オーディオ装置に対応する識別データを予め記憶するデータ記憶手段と、
前記受信手段にて無線受信したデータ信号に含まれる識別データを抽出するデータ抽出手段と、
前記データ抽出手段にて抽出された識別データが前記データ記憶手段に記憶中の識別データに対応するか否かを判定するデータ判定手段と、
前記データ判定手段にて、前記抽出された識別データが前記記憶中の識別データに対応すると判定されると、前記受信手段にて無線受信したデータ信号から音声データを抽出し、前記音声データを再生出力する再生手段と、
前記再生手段により再生される音声を消音するミュート部と、
前記再生手段が前記音声データを再生中に、前記携帯型オーディオ装置からの前記データ信号にエラーが発生した場合に、前記ミュート部を作動させて、前記再生手段により再生される音声を消音させる消音制御手段と、を有することを特徴とするデータ再生システム。
【請求項５】
前記データ再生装置は、前記再生手段により前記音声データが再生されたことに対応して、前記音声データが再生中か否かを示す再生履歴フラグを再生中であることを示すように設定し、かつ前記携帯型オーディオ装置からの前記データ信号に継続して予め定められた期間エラーが発生したことに対応して、前記再生履歴フラグを再生中でないことを示すように設定するフラグ設定手段を有し、
前記消音制御手段は、前記携帯型オーディオ装置からの前記データ信号にエラーが発生した場合に、前記再生履歴フラグを参照し、前記再生履歴フラグが再生中であることを示す場合に、前記ミュート部を作動させて、前記再生手段により再生される音声を消音させることを特徴とする請求項４に記載のデータ再生システム。
【請求項６】
前記データ再生装置は、前記携帯型オーディオ装置が予め定められた位置に配置されたことでスイッチング動作をするスイッチ手段を有し、
前記受信手段は、前記スイッチ手段のスイッチング動作に応じて受信動作を開始することを特徴とする請求項４または請求項５に記載のデータ再生システム。
【発明の詳細な説明】
【０００１】
【発明の属する技術分野】
本発明は、例えばデータ送信装置等の他装置からのデータ信号を無線受信すると、このデータ信号に含まれる音声データを再生出力するデータ再生装置と、こられデータ再生装置（データ受信装置）及びデータ送信装置で構成するデータ再生システムとに関する。
【０００２】
【従来の技術】
従来、オーディオ装置等のデータ再生装置としては、例えばカセット、ＣＤ、ＭＤ等の記録媒体を装着して、その記録媒体を再生出力する音源を有し、例えば室内設置型のオーディオ装置、携帯型のオーディオ装置、車載型のオーディオ装置等があげられる。
【０００３】
例えば室内設置型のオーディオ装置によれば、記録媒体を再生出力することで、ユーザはその室内で音楽再生を楽しむことができる。
【０００４】
また、携帯型のオーディオ装置によれば、記録媒体を再生出力することで、ユーザは歩きながら音楽再生を楽しむことができる。
【０００５】
車載型オーディオ装置によれば、記録媒体を再生出力することで、ユーザは車内で音楽再生を楽しむことができる。
【０００６】
【発明が解決しようとする課題】
しかしながら、上記従来のデータ再生装置によれば、例えば携帯型のオーディオ装置で音楽再生中に、そのユーザが室内若しくは車内に移動して、これら室内設置型オーディオ装置や車載型オーディオ装置で同一音楽を再生するような場合、その携帯型オーディオ装置から現在再生中の記録媒体を取り出し、その記録媒体を室内設置型オーディオ装置若しくは車載型オーディオ装置に装着するような入替作業や切換作業が必要であり、これらの作業によって音楽再生が途切れてしまう。
【０００７】
本発明は上記点に鑑みてなされたものであり、その目的とするところは、記録媒体等の入替作業や切換作業を必要とすることなく、現在再生中の音声データの連続性を確保することができるデータ再生装置、及びデータ再生システムを提供することにある。
【０００８】
【課題を解決するための手段】
上記目的を達成するために本発明のデータ再生装置は、他装置からのデータ信号を無線受信する受信手段と、特定の識別データを予め記憶するデータ記憶手段と、前記受信手段にて無線受信したデータ信号に含まれる識別データを抽出するデータ抽出手段と、このデータ抽出手段にて抽出した識別データが前記データ記憶手段に記憶中の識別データと所定の関係にあるか否かを判定するデータ判定手段と、このデータ判定手段にて所定の関係にあると判定されると、前記受信手段にて無線受信したデータ信号から音声データを抽出し、この音声データを再生出力する再生手段とを有している。
【０００９】
従って、本発明のデータ再生装置によれば、現在受信中のデータ信号内の識別データとデータ記憶手段に記憶中の識別データとが所定の関係にあると判定されると、現在受信中のデータ信号から音声データを抽出し、この音声データを再生出力するようにしたので、記録媒体等の入替作業や切換作業を必要とすることなく、他装置で現在再生中の音声データの連続性を確保することができる。
【００１０】
また、本発明のデータ再生装置は、前記他装置が所定位置に配置されたことでスイッチング動作をするスイッチ手段を有し、前記受信手段は、前記スイッチ手段のスイッチング動作に応じて受信動作を開始するようにした。
【００１１】
従って、本発明のデータ再生装置によれば、スイッチ手段のスイッチング動作に応じて、前記受信手段の受信動作を開始するようにしたので、他装置が所定位置に配置されていない、つまり、他装置がデータ信号の受信エリアにない場合での受信手段の負担を軽減しながら、データ再生装置全体の消費電力を削減することができる。
【００１２】
また、上記目的を達成するために本発明のデータ再生システムは、音声データを含むデータ信号を無線送信するデータ送信装置と、このデータ送信装置からデータ信号を無線受信するデータ受信装置とを有し、前記データ受信装置は、前記データ送信装置からのデータ信号を無線受信する受信手段と、特定の識別データを予め記憶するデータ記憶手段と、前記受信手段にて無線受信したデータ信号に含まれる識別データを抽出するデータ抽出手段と、このデータ抽出手段にて抽出した識別データが前記データ記憶手段に記憶中の識別データと所定の関係にあるか否かを判定するデータ判定手段と、このデータ判定手段にて所定の関係にあると判定されると、前記受信手段にて無線受信したデータ信号から音声データを抽出し、この音声データを再生出力する再生手段とを有するようにした。
【００１３】
従って、本発明のデータ再生システムによれば、現在受信中のデータ信号内の識別データとデータ記憶手段に記憶中の識別データとが所定の関係にあると判定されると、現在受信中のデータ信号から音声データを抽出し、この音声データを再生出力するようにしたので、記録媒体等の入替作業や切換作業を必要とすることなく、データ送信装置で現在再生中の音声データの連続性を確保することができる。
【００１４】
また、本発明のデータ再生システムは、前記データ受信装置が、前記データ送信装置が所定位置に配置されたことでスイッチング動作をするスイッチ手段を有し、前記受信手段は、前記スイッチ手段のスイッチング動作に応じて受信動作を開始するようにした。
【００１５】
従って、本発明のデータ再生システムによれば、スイッチ手段のスイッチング動作に応じて、前記受信手段の受信動作を開始するようにしたので、データ送信装置が所定位置に配置されていない、つまり、データ送信装置がデータ信号の受信エリアにない場合での受信手段の負担を軽減しながら、データ受信装置全体の消費電力を削減することができる。
【００１６】
【発明の実施の形態】
以下、図面に基づいて本発明の実施の形態に示すデータ再生システムについて説明する。図１は本実施の形態に示すデータ再生システムの概略構成、そのシステム内にあるデータ送信装置内部の概略構成を示すブロック図である。
【００１７】
図１に示すデータ再生システム１は、音声データを含むデータ信号を無線送信するデータ送信装置１０と、このデータ送信装置１０からデータ信号を無線受信するデータ受信装置２０とを有し、データ送信装置１０からデータ受信装置２０に電波や赤外線等のワイヤレスでデータ信号を伝送している。
【００１８】
データ送信装置１０は、音楽等の音声データを記録した記録媒体である、例えばメモリカード１１と、このメモリカード１１に記録した音声データを含むデータ信号を入力するメモリカードインタフェース部１２と、様々な情報を記憶する送信側ＲＯＭ１３と、メモリカードインタフェース部１２から入力した音声データを含むデータ信号をデータ受信装置２０に無線伝送するデータ送信部１４と、このデータ送信装置１０全体を制御する送信側ＣＰＵ１５とを有している。
【００１９】
送信側ＲＯＭ１３は、不揮発性メモリやフラッシュＲＯＭ等で構成し、データ再生システム１自体、例えばデータ受信装置２０及びデータ送信装置１０間で共通の機器個別ＩＤを記憶している。尚、機器個別ＩＤは、本システム以外の信号混信や情報漏洩を防止するための識別データに相当するものである。
【００２０】
送信側ＣＰＵ１５では、メモリカードインタフェース部１２から入力した音声データと、送信側ＲＯＭ１３に記憶した機器個別ＩＤとを所定データフォーマット構成で合成し、データ信号を生成する。
【００２１】
図２は本実施の形態に示すデータ再生システム１内のデータ受信装置２０内部の概略構成を示すブロック図である。
【００２２】
図２においてデータ受信装置２０は、データ送信装置１０からデータ信号を受信するデータ受信部２１と、様々な情報を記憶する受信側ＲＯＭ２２と、データ受信部２１にて受信したデータ信号に含まれる音声データを音声信号にデコードするデコード部２３と、この音声信号の音量を調整する音量調整部２４と、音声信号を消音切換するミュート部２５と、音声信号を増幅するアンプ部２６と、この増幅した音声信号を音声出力するスピーカ部２７と、様々な情報を画面表示する表示器２８と、データ受信装置２０全体に電力を供給するバッテリ部２９と、データ受信部２１等の受信系統にバッテリ部２９からの電力を供給する第１電源スイッチ部３０と、デコード部２３、音量調整部２４やアンプ部２６等の音声出力系統にバッテリ部２９からの電力を供給する第２電源スイッチ部３１と、バックアップ電源としてのバックアップ電源部３２と、このデータ受信装置２０全体を制御する受信側ＣＰＵ３３とを有している。
【００２３】
受信側ＲＯＭ２２は、不揮発性メモリやフラッシュＲＯＭ等で構成し、送信側ＲＯＭ１３に記憶中の機器個別ＩＤと合致する機器個別ＩＤが記憶されているものとする。
【００２４】
受信側ＣＰＵ３３は、データ受信部２１にて受信したデータ信号から機器個別ＩＤを抽出するデータ抽出手段３３Ａと、この機器個別ＩＤと受信側ＲＯＭ２２に記憶中の機器個別ＩＤとが一致しているか否かを判定するデータ判定手段３３Ｂと、機器個別ＩＤが一致していると、データ信号から音声データのみを抽出し、この音声データをデコード部３３Ｃに再生出力させる再生手段３３Ｃとを有している。
【００２５】
第１電源スイッチ部３０は、データ受信部２１がデータ信号を取得するまでの間、ＯＮ／ＯＦＦ制御されることで、間欠的な電力供給を行うと共に、データ受信部２１のデータ信号取得中においては、ＯＮ制御されることで電力供給を行うものである。また、第１電源スイッチ部３０は、データ受信部２１にてデータ信号を取得したとしても、データ判定手段３３Ｂにて機器個別ＩＤが一致していない場合には、ＯＦＦ制御されることで間欠的な電力供給を行うものである。
【００２６】
また、第２電源スイッチ部３１は、データ判定手段３３Ｂにて機器個別ＩＤが一致した場合にのみ、ＯＮ制御されることで、電力供給を行うものである。このように第１電源スイッチ部３０及び第２電源スイッチ部３１がＯＮ／ＯＦＦ制御されることで、データ受信装置２０全体の消費電力を削減することができるものである。
【００２７】
次に本実施の形態に示すデータ再生システム１の動作について説明する。図４は本実施の形態に示すデータ再生システム１におけるデータ受信装置２０側の処理動作を示すフローチャートである。
【００２８】
図４においてデータ受信装置２０の受信側ＣＰＵ３３は、常時バックアップ電源部３２からの電力供給を受けており、例えば車両のアクセサリスイッチがＯＮされたことを検出して、第１電源スイッチ部３０をＯＮにすることで（ステップＳ１１）、データ受信部２１等の受信系統に電力を供給する。そして、受信側ＣＰＵ３３は、データ受信部２１を通じて、データ送信装置１０からのデータ信号を監視する（ステップＳ１２）。
【００２９】
受信側ＣＰＵ３３は、データ受信部２１にてデータ信号を受信したか否かを判定する（ステップＳ１３）。データ信号を受信したのであれば、受信側ＣＰＵ３３はデータ信号を解析し（ステップＳ１４）、そのデータ信号のデータフォーマット構成が正しいか否かを判定する（ステップＳ１５）。尚、このデータ信号のデータフォーマット構成とは、機器個別ＩＤと、音声データとの順で構成している。
【００３０】
そのデータ信号のデータフォーマット構成が正しいのであれば、受信側ＣＰＵ３３のデータ抽出手段３３Ａは、このデータ信号を機器個別ＩＤと音声データとに分離することで機器個別ＩＤを抽出する（ステップＳ１６）。
【００３１】
さらに、受信側ＣＰＵ３３のデータ判定手段３３Ｂは、この抽出した機器個別ＩＤが受信側ＲＯＭ２２に記憶中の機器個別ＩＤと合致しているか否かを判定する（ステップＳ１７）。
【００３２】
受信側ＣＰＵ３３は、機器個別ＩＤが合致しているものと判断すると、分離した音声データを再生出力するためにデコード部２３、音量調整部２４やアンプ部２６等の音声出力系統に電力を供給すべく、第２電源スイッチ部３１をＯＮにする（ステップＳ１８）。尚、第２電源スイッチ部３１のＯＮ／ＯＦＦ動作によって、データ受信装置２０全体の電力消費を最小限に抑制することができる。
【００３３】
さらに第２電源スイッチ部３１のＯＮ動作後、ミュート部２５がＯＮ中であるか否かを判定する（ステップＳ１９）。
【００３４】
受信側ＣＰＵ３３の再生手段３３Ｃは、ミュート部２５がＯＮ中であると判断すると、ミュート部２５をＯＦＦにし（ステップＳ２０）、分離した音声データをデコード部２３にデコード再生出力し（ステップＳ２１）、再生履歴フラグを“１”に設定し（ステップＳ２２）、ステップＳ１２に移行する。
【００３５】
尚、再生履歴フラグとは、データ受信装置２０が再生動作中であるか否かを示す設定フラグであり、“１”の場合には再生動作中であることを示すものである。
【００３６】
ステップＳ１３にてデータ信号を受信したのでなければ、再生履歴フラグが“１”であるか否かを判定する（ステップＳ２３）。再生履歴フラグが“１”であれば、ミュート部２５をＯＮにし（ステップＳ２４）、受信側ＣＰＵ３３内部の図示せぬタイマをスタートすることで（ステップＳ２５）、そのタイマが１秒経過したか否かを判定する（ステップＳ２６）。
【００３７】
タイマが１秒経過したのでなければ、データ信号を受信すべく、ステップＳ１２に移行するが、１秒を経過したのであれば、エラーが発生したものと判断し、エラー表示を表示器２８に表示させ（ステップＳ２７）、再生履歴フラグを“０”に設定することで（ステップＳ２８）、受信系統にかかる電力消費を抑制するために第１電源スイッチ部３０をＯＦＦにする（ステップＳ２９）。さらに、受信側ＣＰＵ３３は、音声出力系統にかかる電力消費を抑制するために第２電源スイッチ部３１をＯＦＦにする（ステップＳ２９Ａ）。
【００３８】
そして、受信側ＣＰＵ３３は、一定時間（例えば１秒）を経過した後（ステップＳ３０）、ミュート部２５をＯＦＦにすることで（ステップＳ３１）、ステップＳ１１に移行する。
【００３９】
また、ステップＳ１５にてデータ信号のデータフォーマット構成が正しくない、又はステップＳ１７にて機器個別ＩＤが合致しなければ、再生履歴フラグが“１”であるか否かを判断すべくステップＳ２３に移行し、再生履歴フラグが“１”であれば、現在再生動作中であるにも関わらず、受信中のデータ信号にエラーが発生したものと判断し、異なる音声を音声出力しないようにステップＳ２４でミュート部２５をＯＮにする。
【００４０】
また、ステップＳ２３にて再生履歴フラグが“１”でなければ、ステップＳ２９に移行する。
【００４１】
本実施の形態によれば、データ受信装置２０が、データ送信装置１０との受信状態が良好となり、現在受信中のデータ信号内の機器個別ＩＤが受信側ＲＯＭ２２に記憶中の機器個別ＩＤと合致しているのであれば、現在受信中のデータ信号から音声データを抽出し、この音声データを再生出力するようにしたので、記録媒体等の入替作業や切換作業を必要とすることなく、データ送信装置１０側で現在再生中の音声データの連続性を確保することができる。
【００４２】
また、本実施の形態によれば、データ信号の受信状態が良好で、かつデータ信号内の機器個別ＩＤが合致した場合にのみ、データ信号内の音声データを再生出力する音声出力系統への電力供給を行うようにしたので、データ受信装置２０全体の電力消費を大幅に抑制することができる。
【００４３】
尚、上記実施の形態のデータ受信装置２０においては、第１電源スイッチ部３０をＯＮにし、データ受信部２１の受信系統に電力供給を行うことで、データ送信装置１０からのデータ信号を監視し、例えばデータ送信装置１０がデータ受信装置２０の受信エリア外にある場合であっても、データ送信装置１０からのデータ信号を監視するようにしたので、その分、データ受信部２１の受信系統への電力供給が必要となる。
【００４４】
そこで、このような受信系統への消費電力を削減するために、データ受信装置２０及びデータ送信装置１０間の受信状態が良好な位置、例えば車内のダッシュボード等に配置され、この所定位置にデータ送信装置１０が載置されたことでスイッチング動作をするスイッチ手段（図示せず）をデータ受信装置２０側に設け、このスイッチ手段のスイッチング動作に応じて第１電源スイッチ部３０をＯＮにし、データ受信部２１の受信系統に電力供給を行うような構成にしても良い。
【００４５】
つまり、データ受信装置２０の受信側ＣＰＵ３３は、スイッチ手段のスイッチング動作を常時監視し、このスイッチング動作を検出すると、データ受信部２１の受信動作を開始するための第１電源スイッチ部３０をＯＮにすべく、図４に示すステップＳ１１に移行するものである。
【００４６】
このような実施の形態によれば、スイッチ手段のスイッチング動作に応じて、第１電源スイッチ部３０をＯＮにしてデータ受信部２１の受信動作を開始するようにしたので、データ送信装置１０が所定位置に配置されていない、つまり、データ送信装置１０が受信エリアにない場合でのデータ受信部２１側の負担を軽減すると共に、その受信系統への消費電力を節減することで、データ受信装置２０全体の電力消費を大幅に削減することができる。
【００４７】
尚、本実施の形態に示すデータ再生システム１において、データ送信装置１０及びデータ受信装置２０間のデータ伝送を無線接続技術である“Ｂｌｕｅｔｏｏｔｈ”で行うようにしても良い。
【００４８】
【発明の効果】
上記のように構成された本発明のデータ再生システムによれば、現在受信中のデータ信号内の識別データとデータ記憶手段に記憶中の識別データとが所定の関係にあると判定されると、現在受信中のデータ信号から音声データを抽出し、この音声データを再生出力するようにしたので、記録媒体等の入替作業や切換作業を必要とすることなく、データ送信装置で現在再生中の音声データの連続性を確保することができる。
【図面の簡単な説明】
【図１】本発明における実施の形態を示すデータ再生システム内のデータ送信装置内部の概略構成を示すブロック図である。
【図２】本実施の形態に示すデータ再生システム内のデータ受信装置内部の概略構成を示すブロック図である。
【図３】本実施の形態に示すデータ再生システムにおけるデータ受信装置内の受信側ＣＰＵ内部の概略構成を示すブロック図である。
【図４】本実施の形態に示すデータ再生システムに関わるデータ受信装置側の処理動作を示すフローチャートである。
【符号の説明】
１  データ再生システム
１０  データ送信装置（他装置）
２０  データ受信装置（データ再生装置）
２１  データ受信部（受信手段）
２２  受信側ＲＯＭ（データ記憶手段）
３３Ａ  データ抽出手段
３３Ｂ  データ判定手段
３３Ｃ  再生手段
【図１】
0004485093.tif 000002
【図２】
0004485093.tif 000003
【図３】
0004485093.tif 000004
【図４】
0004485093.tif 000005